(57)【要約】【課題】安価に製造することができると共に、省資源化を図ることができる商品詰合せ容器を提供すること。【解決手段】  底箱（１）と蓋箱（２）とを有する商品詰合せ容器において、複数の商品（５）を区画する仕切り部（３ａ）を有し、その仕切り部（３ａ）に開口部（３ｂ）を形成する台部材（３）を、上記底箱（１）の内部に備えると共に、上記開口部（３ｂ）を介して上記台部材（３）と連結結合する連結部（４ａ）を有し、連結結合状態で上記区画された空間を覆う蓋部材（４）を、上記空間毎に備える。また、更に、蓋部材（４）は、仕切り部（３ａ）に引っ掛かる返し部（４ｂ）を上記連結部（４ａ）に形成する。【選択図】図１
2006076633.tif 000002
【特許請求の範囲】
【請求項１】
底箱と蓋箱とを有する商品詰合せ容器において、
複数の商品を区画する仕切り部を有し、該仕切り部に開口部を形成する台部材を前記底箱の内部に備えると共に、
前記開口部を介して前記台部材と連結結合する連結部を有し、連結結合状態で前記区画された空間を覆う蓋部材を前記空間毎に備えたこと
を特徴とする商品詰合せ容器。
【請求項２】
前記蓋部材は、前記仕切り部に引っ掛かる返し部を前記連結部に形成したこと
を特徴とする請求項１記載の商品詰合せ容器。
【発明の詳細な説明】
【技術分野】
【０００１】
本発明は、贈り物等の商品を詰合せる商品詰合せ容器に係わり、詳しくは、安価に製造できると共に、省資源化を図ることができるようにした商品詰合せ容器に関するものである。
【背景技術】
【０００２】
従来、この種の商品詰合せ容器の一例としては、図５に示すようなギフトケースが知られている。図５において、この従来のギフトケースは、まず、底箱８ａと蓋箱８ｂから成る外箱８が用意される。そして、その外箱内に、贈り物の商品を種別毎に一つずつ独立して商品箱１０に詰め込む形態を採っている。例えば、商品９として、わかめ、椎茸、岩塩の３種類をそれぞれ個別に商品箱１０に詰め込んだ上で外箱８に収納している。なお、実際には各商品はそれぞれ袋材等で包装される。
【発明の開示】
【発明が解決しようとする課題】
【０００３】
ところで、従来のギフトケースは上述のような形態を採用している為、底箱、蓋箱、商品箱等の包装資材コストが高くなる傾向がある。具体的には、商品毎に用意される商品箱の表全面全体に商品を識別する為のイメージ印刷が施されるのが一般的であり、これにより、印刷コストがかさむ。また、例えば、箱という形態ゆえに、接着するという手間と接着費用がかかり、製造コストが増加する。
【０００４】
また、包装資材コストが高くなると、例えば、１つのギフトで５００円、１０００円、１５００円といった具合に値段を事前に設定している場合であれば、その分だけ中身の商品の数や量等の価値分を減らすことになる。他方、事前にギフトの値段を設定していない場合には、包装資材コストが高くなると、包装資材込みのギフトの値段が高くなることになる。
【０００５】
そこで、本発明の目的は、安価に製造することができる共に、省資源化を図ることができる商品詰合せ容器を提供することにある。
【課題を解決するための手段】
【０００６】
本請求項１に係る発明は、底箱と蓋箱とを有する商品詰合せ容器において、複数の商品を区画する仕切り部を有し、該仕切り部に開口部を形成する台部材を、前記底箱の内部に備えると共に、前記開口部を介して前記台部材と連結結合する連結部を有し、連結結合状態で前記区画された空間を覆う蓋部材を、前記空間毎に備えたことによって、前記目的を達成するものである。
【０００７】
また、本請求項２に係る発明は、本請求項１に係る発明の構成に加えて、前記蓋部材は前記仕切り部に引っ掛かる返し部を前記連結部に形成したことによって、前記目的をさらに達成するものである。
【発明の効果】
【０００８】
本請求項１に係る発明は、底箱と蓋箱とを有する商品詰合せ容器において、複数の商品を区画する仕切り部を有し、該仕切り部に開口部を形成する台部材を、前記底箱の内部に備えると共に、前記開口部を介して前記台部材と連結結合する連結部を有し、連結結合状態で前記区画された空間を覆う蓋部材を、前記空間毎に備えたことによって、従来のように商品毎に個別に商品箱を用意していた構成と比べて、大幅に商品詰合せ容器の製造コストを削減することができる。また、それに伴い商品の価格競争力を高め商品販売を促進させることができる。さらに、省資源化することが可能となるので自然環境に配慮した商品詰合せ容器とすることができる。
【０００９】
また、本請求項２の発明によれば、本請求項１の発明が奏する効果に加えて、前記蓋部材に前記仕切り部に引っ掛かる返し部を前記連結部に形成したことによって、蓋部材が台部材とはずれにくくなり、台部材と蓋部材との間で商品をしっかりと包み込むことができる。
【発明を実施するための最良の形態】
【００１０】
以下、本発明の実施の形態である一実施例を図１乃至図４に基づいて説明する。
【００１１】
図１は、本発明に係る商品詰合せ容器の一構成例を示す斜視図である。なお、この実施例では、例えば、わかめ、椎茸、岩塩等の３種類の商品を詰合せる場合を例にして示している。図１に示すように、この商品詰合せ容器は、底箱１と、蓋箱２と、台部材３と、蓋部材４とを備えて構成される。ここで、台部材３は、複数の商品を区画する仕切り部３ａを有し、その仕切り部３ａの上端部中央に開口部３ｂを形成している。また、蓋部材４は、上記開口部３ｂを介して上記台部材３と連結結合する連結部４ａを有し、連結結合状態で上記区画された空間を覆うものである。なお、底箱１と蓋箱２とは外箱を形成するものである。
【００１２】
この商品詰合せ容器の利用形態としては、底箱１の内部に台部材３を配置する。そして、その台部材３の仕切り部３ａで区画された空間毎に商品５を配置する。そして、蓋部材４の連結部４ａを上記仕切り部３ａの開口部３ｂに差込み、台部材３と蓋部材４とを連結結合する。最後に、底箱１に蓋箱２をかぶせる。
【００１３】
図２は、上記図１に示した蓋部材４の平面図である。図２に示すように、この蓋部材４は、一枚の板状にて形成される。そして、連結部４ａに返し部４ｂを形成している。この返し部４ｂは、蓋部材４の連結部４ａを台部材３の開口部３ｂに差込んだ後、仕切り部３ａに引っ掛かるように作用する。これにより、蓋部材４が台部材３とはずれにくくなり、台部材３と蓋部材４との間で商品をしっかりと包み込むことができる。なお、返し部４ｂは、ある程度の強度を維持し、開口部３ｂと十分に結合できる大きさが好ましい。また、蓋部材４の大きさは、商品５、底箱１、蓋箱２の大きさに合わせて調整される。
【００１４】
なお、この実施例では、蓋部材４は、図１に示すように、湾曲させて使用する。また、蓋部材４の連結部４ａの形状をキノコ型に形成した例を示しているが、本発明はこれに限定されず、他の形状であってもよい。すなわち、蓋部材４ａと台部材３とが連結結合でき、連結結合した状態からはずれにくい形状を有していればよい。また、上述した蓋部材４には、商品を識別する商品名や商品の絵等からなるイメージが印刷されている。例えば、１つの蓋部材には、商品「わかめ」を識別するイメージが印刷され、また、他の１つの蓋部材には、商品「椎茸」を識別するイメージが印刷され、さらに、他の１つの蓋部材には、商品「岩塩」を識別するイメージが印刷される。
【００１５】
図３は、上記図１に示した台部材３の構成を示す図であり、図３（ａ）が台部材３を底箱１内に配置する前の一枚の板状態を示し、図３（ｂ）が図３（ａ）で示した板状態の台部材３を底箱１内に配置して商品を詰め込み可能に立体的に折り曲げ成形した成形完了状態（図１に示した状態と同じ）を示している。
【００１６】
図３（ａ）に示すように、台部材３は、一枚の板状にて形成される。なお、この実施例では、台部材３の材質として、商品を傷つけないための柔軟性があり、加工が容易な紙部材を採用した場合を例にしている。すなわち、この台部材３は、同図３（ａ）に示す点線部分を谷折り或いは山折りして折り曲げることで上述した仕切り部３ａを成形する。図３（ａ）において、台部材３は、底板部３−１の向い合う一方の両端に仕切り部３ａを成形している。また、上記底板部３−１の他の向い合う両端に底箱１の内側面及び内底面に内接して台部材３を底箱１内で固定する接片部３−２を成形している。なお、台部材３の両端となる仕切り部３ａは、他の仕切り部３ａとは異なり、底箱１の内側面及び内底面に内接して台部材３を底箱１内で固定する接片を成形している。
【００１７】
すなわち、上記図３（ａ）に示す台部材３の点線部分で折り曲げて立体的に形成することで、図３（ｂ）に示すような台部材３の完成状態となる。
【００１８】
なお、台部材３において、複数の仕切り部３ａのうちで両端側となる仕切り部３ａ以外の端でない仕切り部３ａでは、その仕切り部３ａに形成される開口部３ｂを、その仕切り部３ａを介して隣接配置される２つの蓋部材４の連結部４ａで共有して使用する。
【００１９】
また、このように板状から図３（ｂ）に示した成形完了状態の台部材３を成形することで、台部材３と底箱１との間に空間ができて商品に対する衝撃を吸収することができる。なお、この実施例では、台部材３を折り曲げて立体的に成形した場合に開口部３ｂが仕切り部３ｂの上方になるように構成したが、本発明は、これに限定されず、例えば、立体的に成形した仕切り部３ｂの側面部分に開口部３ｂを形成しても良い。
【００２０】
上述した構成によれば、複数の商品を商品毎に区分けして配置可能な台部材を備えると共に、複数の商品毎に個別に蓋部材を備えるようにしたため、従来のように商品毎に個別に商品箱を用意していた構成と比べ、大幅に商品詰合せ容器の製造コストを削減することができると共に、省資源化を図ることができる。また、それに伴い商品の価格競争力を高め商品販売を促進させることができる。
【００２１】
なお、具体的に、商品詰合せ容器の製造コストの削減としては、従来の商品箱と比較して、商品を包装する表面積が少なくなることで大幅に紙の使用量を減らし、従来同等品と比べ半分以下の製造原価で生産することが可能となる。また、それに伴い商品自体にボリュームを持たせて価格競争力のある商品とすることができる。また、省資源化することが可能となるので自然環境に配慮した商品詰合せ容器とすることができる。また、例えば、従来品の商品箱で用いられる接着剤の使用を省くことができるのでその分だけコスト削減を図ることができる。また、従来品の商品箱では箱の表面全体（例えば、４面等）に商品を識別するイメージが印刷されていたものが、本発明では蓋部材の表面（１面）のみ印刷すれば良いので印刷コストを大幅に削減することができる。また、上述のように接着工程がなくなり、印刷量が減るので製造工程を簡略化させることができる。また、複数の商品を商品毎に区分けして配置可能な台部材と、その複数の商品毎に商品を識別可能な印刷が施された蓋部材とを外箱内に備えるようにしたため、意匠性に優れて見た目が良く、かつ、商品が簡単に取り出させ、それにより、客の購買意欲をかきたて、商品販売を促進させることができる。
【００２２】
なお、上記実施例では、容器に詰合せる商品が３種類の場合を例にして説明したが、本発明は、これに限定されるものではなく、２種類以上の複数の商品を詰合せることができれば良い。
【００２３】
例えば、図４は、商品が４種類の場合の商品詰合せ容器の一構成例を示している。図１に示した商品詰合せ容器では、３種類の商品を一列にして詰合せる形態を示したが、図４に示す商品詰合せ容器では、４種類の商品のうち２つの商品を上列に、残りの２つの商品を下列に配置して２列構成にして詰合せる形態を示している。
【００２４】
図４に示すように、列構成で商品を詰合せる場合には、図示しない底箱および蓋箱の他に、商品の数だけの蓋部材４を備え、図１及び図３に示した台部材３と同じように、一枚の板材で形成され、その板材上の折り目で折り曲げて成形してから底箱の中で固定される台部材６と、底箱の中に入れる状態に成形された台部材６の商品列間に連結結合して列間で商品を区分けする為の仕切り板７とを備える。そして、商品が６種類、９種類と増えた場合には、上述のような一枚の板材で折り曲げて成形する台部材と、列間で商品を区分けする仕切り板とを備えることで対応するものとする。
【図面の簡単な説明】
【００２５】
【図１】本発明に係る商品詰合せ容器の一構成例を示す斜視図。
【図２】蓋部材の平面図。
【図３】台部材の折り曲げ前及び折り曲げ後を示す図。
【図４】図１に示した商品詰合せ容器の変形例を示す図。
【図５】従来の構成を示す図。
【符号の説明】
【００２６】
１    ・・・  底箱
２    ・・・  蓋箱
３    ・・・  台部材
３ａ  ・・・  仕切り部
３ｂ  ・・・  開口部
４    ・・・  蓋部材
４ａ  ・・・  連結部
４ｂ  ・・・  返し部
５    ・・・  商品
６    ・・・  台部材
７    ・・・  仕切り板
８    ・・・  外箱
８ａ  ・・・  底箱
８ｂ  ・・・  蓋箱
９    ・・・  商品
１０  ・・・  商品箱
【図１】
2006076633.tif 000003
【図２】
2006076633.tif 000004
【図３】
2006076633.tif 000005
【図４】
2006076633.tif 000006
【図５】
2006076633.tif 000007